【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
ＬＴＥ−Ｕにおいてクリアチャネルアセスメント（ＣＣＡ）を実行するための方法であって、
ＣＣＡのために確保されたリソースでの送信のためにモニタすることと、
連続したいくつかのＣＣＡ期間の間に送信を検出することに応答して、前記モニタすることのためのタイミングを適合させることと、
ＣＣＡのために確保された前記リソースにおける割り当てられたスロットよりも短い持続時間にわたる前記送信のエネルギーを検出することと
を備える方法。
【請求項２】
前記より短い持続時間は、前記割り当てられたスロットの両端の少なくとも１つのガード期間に基づく、
請求項１に記載の方法。
【請求項３】
前記モニタすることに基づいてクリアチャネルを検出することに応答して、ＣＣＡのためにワイヤレスエンティティに割り当てられたスロットでビーコンを送信することをさらに備える、
請求項１に記載の方法。
【請求項４】
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
請求項１に記載の方法。
【請求項５】
連続した多数のＣＣＡ期間の間に前記送信を検出することに応答して、ＣＣＡのためのビーコン送信を適合させることをさらに備える、
請求項１に記載の方法。
【請求項６】
前記ビーコン送信を適合させることは、ＣＣＡのために確保された予備リソースで前記ビーコンを送信することを備える、
請求項５に記載の方法。
【請求項７】
ＰＬＭＮ内ノードによるブロッキングを決定するために、検出された送信のタイミングにバイアスをかけることをさらに備える、
請求項５に記載の方法。
【請求項８】
前記モニタすることに基づいてクリアチャネルを検出することに応答して、ＣＣＡのために移動局に割り当てられたスロットでのビーコンの送信のために最大電力に調整することをさらに備える、
請求項１に記載の方法。
【請求項９】
ＬＴＥ−Ｕにおいてクリアチャネルアセスメント（ＣＣＡ）を実行するための装置であって、
ＣＣＡのために確保されたリソースでの送信のためにモニタするための手段と、
連続したいくつかのＣＣＡ期間の間に送信を検出することに応答して、前記モニタすることのためのタイミングを適合させるための手段と、
ＣＣＡのために確保された前記リソースにおける割り当てられたスロットよりも短い持続時間にわたる前記送信のエネルギーを検出するための手段と
を備える装置。
【請求項１０】
前記より短い持続時間は、前記割り当てられたスロットの両端の少なくとも１つのガード期間に基づいている、または
前記モニタすることに基づいてクリアチャネルを検出することに応答して、ＣＣＡのためにワイヤレスエンティティに割り当てられたスロットでビーコンを送信するための手段をさらに備える、または
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
請求項９に記載の装置。
【請求項１１】
連続したいくつかのＣＣＡ期間の間に前記送信を検出することに応答して、ＣＣＡのためのビーコン送信を適合させるための手段
をさらに備える、
請求項９に記載の装置。
【請求項１２】
前記ビーコン送信を適合させることは、ＣＣＡのために確保された予備リソースで前記ビーコンを送信することを備える、
請求項１１に記載の装置。
【請求項１３】
ＰＬＭＮ内ノードによるブロッキングを決定するために、検出された送信のためのタイミングにバイアスをかけるための手段をさらに備える、
請求項１１に記載の装置。
【請求項１４】
前記モニタすることに基づいてクリアチャネルを検出することに応答して、ＣＣＡのために移動局に割り当てられたスロットでのビーコンの送信のために最大電力に調整するための手段をさらに備える、
請求項９に記載の装置。
【請求項１５】
コンピュータプログラムであって、
少なくとも１つのコンピュータに、請求項１乃至８のいずれか１項に記載のステップを実行することを行わせるためのコードを備える、
コンピュータプログラム。
【手続補正２】
【補正対象書類名】明細書
【補正対象項目名】０１０４
【補正方法】変更
【補正の内容】
【０１０４】
[00126]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
以下に、本願出願の当初の特許請求の範囲に記載された発明を付記する。
［Ｃ１］
ＬＴＥ−Ｕにおいてクリアチャネルアセスメント（ＣＣＡ）を実行するための方法であって、
ＣＣＡのために確保されたリソースでの送信のためにモニタすることと、
ＣＣＡのために確保された前記リソースにおける割り当てられたスロットよりも短い持続時間にわたる前記送信のエネルギーを検出することと
を備える方法。
［Ｃ２］
前記より短い持続時間は、前記割り当てられたスロットの両端の少なくとも１つのガード期間に基づく、
［Ｃ１］に記載の方法。
［Ｃ３］
前記モニタすることに基づいてクリアチャネルを検出することに応答して、ＣＣＡのためにワイヤレスエンティティに割り当てられたスロットでビーコンを送信すること
をさらに備える、［Ｃ１］に記載の方法。
［Ｃ４］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ１］に記載の方法。
［Ｃ５］
連続した多数のＣＣＡ期間の間に前記送信を検出することに応答して、ＣＣＡのためのビーコン送信および前記モニタすることのためのタイミングを適合させること
をさらに備える、［Ｃ１］に記載の方法。
［Ｃ６］
前記ビーコン送信を適合させることは、ＣＣＡのために確保された予備リソースで前記ビーコンを送信することを備える、
［Ｃ５］に記載の方法。
［Ｃ７］
ＰＬＭＮ内ノードによるブロッキングを決定するために、検出された送信のタイミングにバイアスをかけること
をさらに備える、［Ｃ５］に記載の方法。
［Ｃ８］
前記モニタすることに基づいてクリアチャネルを検出することに応答して、ＣＣＡのために移動局に割り当てられたスロットでのビーコンの送信のために最大電力に調整することをさらに備える、
［Ｃ１］に記載の方法。
［Ｃ９］
ＬＴＥ−Ｕにおいてクリアチャネルアセスメント（ＣＣＡ）を実行するための装置であって、
ＣＣＡのために確保されたリソースでの送信のためにモニタするための手段と、
ＣＣＡのために確保された前記リソースにおける割り当てられたスロットよりも短い持続時間にわたる前記送信のエネルギーを検出するための手段と
を備える装置。
［Ｃ１０］
前記より短い持続時間は、前記割り当てられたスロットの両端の少なくとも１つのガード期間に基づいている、
［Ｃ９］に記載の装置。
［Ｃ１１］
前記モニタすることに基づいてクリアチャネルを検出することに応答して、ＣＣＡのためにワイヤレスエンティティに割り当てられたスロットでビーコンを送信するための手段をさらに備える、
［Ｃ９］に記載の装置。
［Ｃ１２］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ９］に記載の装置。
［Ｃ１３］
連続したいくつかのＣＣＡ期間の間に前記送信を検出することに応答して、ＣＣＡのためのビーコン送信および前記モニタすることのためのタイミングを適合させるための手段
をさらに備える、
［Ｃ９］に記載の装置。
［Ｃ１４］
前記ビーコン送信を適合させることは、ＣＣＡのために確保された予備リソースで前記ビーコンを送信することを備える、
［Ｃ１３］に記載の装置。
［Ｃ１５］
ＰＬＭＮ内ノードによるブロッキングを決定するために、検出された送信のためのタイミングにバイアスをかけるための手段をさらに備える、
［Ｃ１３］に記載の装置。
［Ｃ１６］
前記モニタすることに基づいてクリアチャネルを検出することに応答して、ＣＣＡのために移動局に割り当てられたスロットでのビーコンの送信のために最大電力に調整するための手段をさらに備える、
［Ｃ９］に記載の装置。
［Ｃ１７］
ＬＴＥ−Ｕにおいてクリアチャネルアセスメント（ＣＣＡ）を実行するための装置であって、
ＣＣＡのために確保されたリソースでの送信をモニタするために構成された少なくとも１つのトランシーバと、
ＣＣＡのために確保された前記リソースにおける割り当てられたスロットよりも短い持続時間にわたる前記送信のエネルギーを検出するために構成された少なくとも１つのプロセッサと、
前記少なくとも１つのプロセッサに結合された、データを記憶するためのメモリと
を備える装置。
［Ｃ１８］
前記より短い持続時間は、前記割り当てられたスロットの両端の少なくとも１つのガード期間に基づいている、
［Ｃ１７］に記載の装置。
［Ｃ１９］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ１７］に記載の装置。
［Ｃ２０］
前記少なくとも１つのトランシーバは、前記モニタすることに基づいてクリアチャネルを検出することに応答して、ＣＣＡのためにワイヤレスエンティティに割り当てられたスロットでビーコンを送信するためにさらに構成される、
［Ｃ１７］に記載の装置。
［Ｃ２１］
前記少なくとも１つのプロセッサは、連続したいくつかのＣＣＡ期間の間に前記送信を検出することに応答して、ＣＣＡのためのビーコン送信および前記モニタすることのためのタイミングを適合させるためにさらに構成される、
［Ｃ１７］に記載の装置。
［Ｃ２２］
前記ビーコン送信を適合させることは、ＣＣＡのために確保された予備リソースで前記ビーコンを送信することを備える、
［Ｃ２１］に記載の装置。
［Ｃ２３］
前記少なくとも１つのプロセッサは、ＰＬＭＮ内ノードによるブロッキングを決定するために検出された送信のタイミングにバイアスをかけるためにさらに構成される、
［Ｃ２１］に記載の装置。
［Ｃ２４］
前記少なくとも１つのプロセッサは、前記モニタすることに基づいてクリアチャネルを検出することに応答して、ＣＣＡのために移動局に割り当てられたスロットでのビーコンの送信のために最大電力に調整するためにさらに構成される、
［Ｃ１７］に記載の装置。
［Ｃ２５］
コンピュータプログラム製品であって、
少なくとも１つのコンピュータに、
クリアチャネルアセスメント（ＣＣＡ）のために確保されたリソースでの送信をモニタすることと、
ＣＣＡのために確保された前記リソースにおける割り当てられたスロットよりも短い持続時間にわたる前記送信のエネルギーを検出することと
を行わせるためのコードを記憶するコンピュータ可読媒体を備える、
コンピュータプログラム製品。
［Ｃ２６］
前記より短い持続時間は、前記割り当てられたスロットの両端の少なくとも１つのガード期間に基づいている、
［Ｃ２５］に記載のコンピュータプログラム製品。
［Ｃ２７］
前記送信は、直交周波数分割多重（ＯＦＤＭ）シンボル境界の前に第１の所定時間オフセットされたオフタイム期間と、前記ＯＦＤＭシンボル境界の後に第２の所定時間オフセットされたオン期間とを有するタイミングマスクに従う、
［Ｃ２５］に記載のコンピュータプログラム製品。
［Ｃ２８］
前記コンピュータ可読媒体は、前記少なくとも１つのコンピュータに、
前記モニタすることに基づいてクリアチャネルを検出することに応答して、ＣＣＡのためにワイヤレスエンティティに割り当てられたスロットでビーコンを送信することを行わせるためのコードをさらに記憶する、
［Ｃ２５］に記載のコンピュータプログラム製品。
［Ｃ２９］
前記コンピュータ可読媒体は、前記少なくとも１つのコンピュータに、
前記モニタすることに基づいて連続したいくつかのＣＣＡ期間の間に前記送信を検出することに応答して、ＣＣＡのためのビーコン送信および前記モニタすることのためのタイミングを適合することを行わせるためのコードをさらに記憶する、
［Ｃ２５］に記載のコンピュータプログラム製品。
［Ｃ３０］
前記ビーコン送信を適合させることは、ＣＣＡのために確保された予備リソースで前記ビーコン送信を送信することを備える、
［Ｃ２９］に記載のコンピュータプログラム製品。
［Ｃ３１］
前記コンピュータ可読媒体は、前記少なくとも１つのコンピュータに、
ＰＬＭＮ内ノードによるブロッキングを決定するために、検出された送信のタイミングにバイアスをかけることを行わせるためのコードをさらに記憶する、
［Ｃ２５］に記載のコンピュータプログラム製品。
［Ｃ３２］
前記コンピュータ可読媒体が、前記少なくとも１つのコンピュータに、
前記モニタすることに基づいてクリアチャネルを検出することに応答して、ＣＣＡのために移動局に割り当てられたスロットでのビーコンの送信のために最大電力に調整することを行わせるためのコードをさらに記憶する、
［Ｃ２５］に記載のコンピュータプログラム製品。
［Ｃ３３］
アクセスポイントがＬＴＥ−Ｕにおいてタイミングアドバンスを実行するための方法であって、
少なくとも１つの移動局から、前記少なくとも１つの移動局からのタイミング情報を備える少なくとも１つのメッセージを受信することと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定することと
を備える方法。
［Ｃ３４］
前記受信することは、ランダムアクセスプリアンブルを受信すること、または前記タイミング情報を備える少なくとも１つのＲｘ−Ｔｘタイミング差レポートを受信することのうちの少なくとも１つを備える、
［Ｃ３３］に記載の方法。
［Ｃ３５］
ＣＵＢＳの前記送信タイミングは、ＰＵＳＣＨの前記送信タイミングとは異なり、前記方法は、
同じ移動局に少なくとも２つのタイミングアドバンスコマンドを送信することをさらに備える、
［Ｃ３３］に記載の方法。
［Ｃ３６］
ＣＵＳＢの前記送信タイミングは、ＰＵＳＣＨからの送信タイミングと同じである、
［Ｃ３３］に記載の方法。
［Ｃ３７］
前記アクセスポイントで、ＬＴＥ−ＵにおいてＣＣＡを実行する必要がある移動局のためにアップリンク電力制御を実行することをさらに備え、前記実行することは、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を備える、［Ｃ３３］に記載の方法。
［Ｃ３８］
前記電力マージンは、アンテナ利得差にパスロス差を加えたものにさらに基づく、
［Ｃ３７］に記載の方法。
［Ｃ３９］
前記スロープは、ＣＵＢＳ送信が小さいパスロスを持つ、および大きいパスロスを持つ移動局に対して同様の電力レベルを有するように決定される、
［Ｃ３７］に記載の方法。
［Ｃ４０］
前記スロープは、ＣＵＢＳ送信がより小さいパスロスを持つ移動局に対してより高い電力を有するように決定される、
［Ｃ３７］に記載の方法。
［Ｃ４１］
ＬＴＥ−Ｕにおいてタイミングアドバンスを実行するための装置であって、
少なくとも１つの移動局から、前記少なくとも１つの移動局からのタイミング情報を備える少なくとも１つのメッセージを受信するための手段と、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定するための手段と
を備える装置。
［Ｃ４２］
ＬＴＥ−ＵにおいてクリアチャネルアセスメントＣＣＡを実行する必要がある移動局のためにアップリンク電力制御を実行するための手段をさらに含み、前記実行するための手段は、
ＣＣＡ電力しきい値に基づいたＣＵＢＳ送信のためのターゲット受信電力、および近隣アクセスポイントの移動局に基づいた電力マージンを決定するための手段と、
ＣＵＢＳ送信のために推定パスロスに応じて送信電力のスロープを決定するための手段と、
前記決定されたターゲット受信電力、および前記決定されたスロープを前記移動局に送るための手段と
を備える、［Ｃ４１］に記載の装置。
［Ｃ４３］
ＬＴＥ−Ｕにおいてタイミングアドバンスを実行するための装置であって、
少なくとも１つの移動局から、前記少なくとも１つの移動局からのタイミング情報を備える少なくとも１つのメッセージを受信するために構成された少なくとも１つのトランシーバと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定するために構成された少なくとも１つのプロセッサと、
前記少なくとも１つのプロセッサに結合された、データを記憶するためのメモリと
を備える装置。
［Ｃ４４］
前記少なくとも１つのプロセッサは、ＬＴＥ−ＵにおいてクリアチャネルアセスメントＣＣＡを実行する必要がある移動局のためにアップリンク電力制御を実行するためにさらに構成され、前記実行することは、
ＣＣＡ電力しきい値に基づいたＣＵＢＳ送信のためのターゲット受信電力、および近隣アクセスポイントの移動局に基づいた電力マージンを決定することと、ＣＵＢＳ送信のために推定パスロスに応じて送信電力のスロープを決定することと
を備える、［Ｃ４３］に記載の装置。
［Ｃ４５］
前記少なくとも１つのトランシーバは、前記決定されたターゲット受信電力と、前記決定されたスロープとを前記移動局に送るためにさらに構成される、
［Ｃ４４］に記載の装置。
［Ｃ４６］
コンピュータプログラム製品であって、
少なくとも１つのコンピュータに、
少なくとも１つの移動局から、前記少なくとも１つの移動局からのタイミング情報を備える少なくとも１つのメッセージを受信することと、
前記受信したタイミング情報を使用して、前記少なくとも移動局間のタイミング差を減少させることに基づいて、前記少なくとも１つの移動局のためにチャネル使用ビーコン信号（ＣＵＢＳ）送信および関連するＣＣＡウィンドウのための少なくとも１つのタイミングアドバンスパラメータを決定することと
を行わせるためのコードを記憶するコンピュータ可読媒体を備える、
コンピュータプログラム製品。
［Ｃ４７］
前記コンピュータ可読媒体は、前記少なくとも１つのコンピュータに、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を行わせるためのコードをさらに記憶する、［Ｃ４６］に記載のコンピュータプログラム製品。